(57)【要約】 【課題】  本発明は、家庭又は食堂等から出る生ゴミを簡便に処理できる生ゴミの醗酵容器に関する。【解決手段】生ゴミの醗酵容器を吸湿材で製作し、底面体に網体を張り、網体の下に底桟を設けて網体との間に通気可能な空間を形成してなる。【選択図】        図１
2011115773.tif 000002
【特許請求の範囲】
【請求項１】
開閉蓋、正面体、裏面体、左右側面体、底面体で構成の生ゴミの醗酵容器であり、
前記醗酵容器を吸湿材で製作し、
前記底面体に下網体を張り、下網体の下に底桟を設けて前記下網体との間に通気可能な空間を形成してなることを特徴とする生ゴミの醗酵容器。
【請求項２】
容器を製作の吸湿材が段ボール紙であることを特徴とする請求項１の生ゴミの醗酵容器。
【請求項３】
正面体、裏面体、左側面体、右側面体の内側に網体を貼着することを特徴とする請求項１又は請求項２の生ゴミの醗酵容器。
【請求項４】
下網体の上に床材を載置し、その床材の上に上網体を設け、その上網体の上に生ゴミを載置する請求項１から請求項３のいずれか１項の生ゴミの醗酵容器。
【請求項５】
醗酵容器を木製又は樹脂製の外容器に収納し、該外容器の底空間から空気の流入が可能である請求項１から請求項４のいずれか１項の生ゴミの醗酵容器。
【請求項６】
醗酵容器内に湯たんぽを収納することを特徴とする請求項１から請求項５のいずれか１項の生ゴミの醗酵容器。
【請求項７】
湯たんぽを覆って、長期にわたって昇温することを特徴とする請求項６の生ゴミの醗酵容器。
【発明の詳細な説明】
【技術分野】
【０００１】
本発明は、家庭又は食堂等から出る生ゴミを簡便に処理できる生ゴミの醗酵容器に関する。
【背景技術】
【０００２】
従来、家庭等からでる生ゴミの処理は、バケツ等に保管しておいて、ゴミ収集日にビニール袋に収納して廃棄物処理車によって処理しているし、又、近年、各家庭で処理可能な生ゴミ処理器を購入して、各家庭で処理をしている。
そこで、簡便に生ゴミを処理する容器として、特開２００４−８６９号公報には、下部から空気の流入が可能で、上部から醗酵で生ずる水を含有の空気を排出可能に構成して、生ゴミと醗酵媒体とで醗酵させる旨の開示がある。
【０００３】
【特許文献１】特開２００４−８６９号公報
【発明の開示】
【発明が解決しようとする課題】
【０００４】
前記特開２００４−８６９号公報に記載の容器で生ゴミを醗酵させると、周囲の環境条件により、醗酵容器内の水分調整が必ずしもうまく行かない。水分が多いと、醗酵速度が遅くなるし、水分が少なくなると醗酵菌が死滅するという事態が生ずる。
そこで、本願発明は、容易に、水分調整ができる生ゴミを処理する醗酵容器を提供するものである。
【課題を解決するための手段】
【０００５】
請求項１の生ゴミの醗酵容器は、吸湿材で製作されていて、底面体に下網体を張り、下網体の下に底桟を設けて、その下網体との間に通気可能な空間を形成してなるものであり、醗酵に必要な空気は下網体の下の空間から供給される。また、容器内に発生する水は、容器材が吸湿性のため、容器材に吸収されると共に外部に蒸発され、容器内の水分量を調節できる。
又、請求項２の生ゴミの醗酵容器は、容器材料として段ボール紙を使用するので、安価に製作できる。
【０００６】
又、請求項３の生ゴミの醗酵容器は、容器の内側に網体を貼着することによって、容器の補強を簡便に図ることができる。
又、請求項４の生ゴミの醗酵容器は、下網体の上に床材を載置し、その床材の上に上網体を設け、その上網体の上に生ゴミを載置することによって、床材の散逸を防止できる。
又、請求項５の生ゴミの醗酵容器は、木製又は樹脂製の外容器に収納されて、該外容器の底空間から空気の流入されて醗酵されるので、生ゴミの醗酵容器が水分吸収によって弱くなっていても外容器によって外形は維持される。
また、請求項６の醗酵容器は、容器内に湯たんぽを収納することによって、昇温して醗酵の促進を図る。
また、請求項７の生ゴミの醗酵容器は、収納する湯たんぽを覆って、長期にわたって昇温する。
【発明の効果】
【０００７】
本願発明に生ゴミの醗酵容器は、簡便に製作でき、且つ、容器内の水分量の調節ができる。
【図面の簡単な説明】
【０００８】
【図１】一部断面を示す生ゴミの醗酵容器の斜視図。
【図２】外容器と醗酵容器を示す図である。
【図３】一部断面を示す生ゴミの他の構造の醗酵容器の斜視図。
【発明を実施するための形態】
【０００９】
本願発明の生ゴミ醗酵容器１を、一部断面を示す斜視図である図１を参照して説明する。
醗酵容器１は、立方体又は直方体であり、主材料は吸湿性を有し、安価に製作するために、所謂、段ボール箱を用いるのが望ましい。即ち、上部の開閉蓋１０、正面体１１、左側面体１２、右側面体、裏面体を段ボール紙で製作する。
このため、内部で生ずる水は、通常は閉鎖中である前記開閉蓋１０、正面体１１、裏面体、左側面体１２、右側面体に吸収され、外気温との関係で、水は前記開閉蓋１０、正面体１１、裏面体、左側面体１２、右側面体から蒸発し、反対に、容器内の水分が減少すると、前記開閉蓋１０、正面体１１、裏面体、左側面体１２、右側面体に吸収されている水が、内部で蒸発し、容器内の水分調整をする。
【００１０】
尚、底面体１５には、細かいメッシュの下網体１６が張ってあり、適宜の間隔で底桟１８が設けてあり、前記下網体１６との間に通気可能な空間２０が形成されている。
又、前記下網体１６の上には、後述する床材２５を載置し、生ゴミとの混合を避けるために、前記下網体１６と同じ材質の上網体１７が取付けてあり、床材２５を散逸を防止できる。
尚、前記容器１を補強する意味で、正面体１１、裏面体、左側面体１２、右側面体の内側に網体を前記段ボール紙に貼着することが望ましく、この網体は前記網体１６と同じ材質である。
又、前記容器１の外側には、虫の進入又は排出を防止するために、防虫ネット２２で覆われている。
又、容器１内の隅部には、撹拌器具１９が収納されている。
【００１１】
次に、生ゴミを醗酵させるために、前記容器１の使用方法について説明する。
先ず、生ゴミ醗酵容器内の前記底面体１５に張ってある下網体１６の上に、床材２５としての木材チップを入れて、雨の当らない軒下等に設置する。
又、その上に、上網体１７を設置して、生ゴミと床材２５との混合を避けて、床材２５の散逸を防止する。
前記床材２５は、生ゴミの醗酵で発生する水を吸収可能であると共に、底面体１５から空気を容器内部に導入可能である。
尚、この床材２５を敷く厚みは、発生する水分が底面体から落下しないような、吸水量を維持できる厚みであり、木材チップの大きさとの兼ね合で選択する。
尚、醗酵促進剤を水で溶解して促進剤を作成する。
【００１２】
次に、生ゴミの投入場所にくぼみを作成して、最初の１〜２週間は、野菜を中心に処理して、菌床の安定化と活性化を図るのが望ましい。
そして、生ゴミ３０と好気性菌を含有の土３１を投入したら、生ゴミを細かく切るように撹拌器具１９で撹拌する。
生ゴミは、前記底面体１５から導入される空気及び開閉蓋１０の下部の空間における空気とで、好気性菌によって醗酵する。
また、醗酵を促進するために、促進溶液を霧吹き等で吹きかけるのが望ましいし、特に、腐敗臭がしたときや表面がべとつくときには促進溶液の補給を止め、反対に、乾燥状態であるときには促進溶液を多くする。
【００１３】
この醗酵過程において、水が生じ、この水は容器１の材料である段ボール紙、床材（木材チップ）２５で吸収され、外気温等の関係により、前記段ボール紙や床材から蒸発して、容器内の水分量の調整を行う。
そのため、容器内の水分が不十分にはならないので好気性菌が死滅することを防止できる。
【００１４】
又、新たな生ゴミ３０も前記と同様に、容器内に投入し、好気性菌が少ない場合には好気性菌を含有の土３１投入し、容器内を撹拌器具で撹拌する。
以上のように、順次、生ゴミの投入、撹拌、時には好気性菌の投入、促進溶液の霧吹き等をすることによって醗酵し、発生する水は段ボール紙や床材で吸収されると共に、外部に蒸発して、容器内の水分維持を図ることができる。
又、この生ゴミ醗酵容器は、主として、段ボール紙という素材を使用するので安価に製作できる。
【００１５】
次に、前記段ボール紙製の醗酵容器１では、水分を含有すると強度面で劣るので、図２に示すように、木製、樹脂製等の堅固な外容器８２に前記段ボール紙製の醗酵容器１を収納して生ゴミの醗酵を行う。
この外容器８２は、上面と底面が開口状態であり、上横板８４ａと下横板８４ｂ及び支柱８３から構成され、各４隅の下には底桟８３ａを付設して底空間８９を形成すると共に、前記上横板８４ａと下横板８４ｂの間にも側空間８５を形成して支柱８３に組み付ける。又、前記外容器８２の内周には、段ボール紙製の醗酵容器１を支持する支え桟８７を設けてある。
【００１６】
尚、この段ボール紙製の醗酵容器１は、前記図１に示す醗酵容器とは底桟１８が不要であるし、正面体１１、裏面体、左側面体１２、右側面体の内側に、前記網体１６と同じ材質である網体を前記段ボール紙に貼着することは、必ずしも必要ではない。
又、前記外容器８２に付設の上横板８４ａと下横板８４ｂ等は、醗酵容器１からの水分蒸発が十分に確保できるような側空間８５を形成可能に支柱８３に組み付けて構成する。そして、段ボール紙製の醗酵容器１の側面は、外容器８２の内面とは、密着しない状態で収納することによって、側空間８５からの水分蒸発が可能である。
【００１７】
次に、前記段ボール紙製の醗酵容器１と外容器８２の使用について説明すると、
段ボール紙製の醗酵容器１を外容器８２に収納すると支え桟８７に載置される。
このため、醗酵容器１は底空間８９から空気の出入ができると共に、前記側空間８５を介して、醗酵容器１の側部に含有の水分が発散されたり、吸収されたりして、醗酵容器内の水分調整ができる。
又、この外容器８２によって、水分吸収によって弱くなっている段ボール紙製の醗酵容器１の外形は維持される。
【００１８】
そして、この外容器８２に収納の段ボール紙製の醗酵容器１を用いて生ゴミを醗酵させる操作は、前記したと同様に、床材２５、生ゴミ３０、好気性菌を含有の土３１等を用い、外蓋８８を被せて醗酵を行う。
尚、醗酵中において、外容器８２の外側には、離間した状態で、防虫ネット８０を被せておくことが望ましい。
また、前記醗酵容器１、外容器８２は、前記した状態を適宜組み合せて構成することができる。
【００１９】
次に、図３に示す醗酵容器について説明する。この醗酵容器は、図１に示す醗酵容器の構成とほぼ同じであるが、冬季の外気温が低いときに、醗酵を促進するための対策として、容器内に、湯たんぽ１００を収納可能になっている。この湯たんぽ１００は、熱水等を金属性容器に、また、温水を樹脂製容器等に入れたものであり、この湯たんぽ１００の放熱によって容器内温度を昇温することによって、醗酵速度の向上を図る。尚、この湯たんぽ１００を金属箔(アルミ箔)等で覆ったり、毛布で覆うことによって、排出熱量を抑制でき、長期にわたって昇温する場合に有効な手段である。
【符号の説明】
【００２０】
１０  開閉蓋
１１  正面体
１２  左側面体
１５  底面体
１６  下網体
１７  上網体
１８  底桟
２０  空間
２１  網体
８２  外容器
１００  湯たんぽ
【図１】
2011115773.tif 000003
【図２】
2011115773.tif 000004
【図３】
2011115773.tif 000005